(57)【要約】閲覧希望するページの箇所を表示させるまでに無駄な時間と操作をユーザに強いさせないように、操作の効率化を図るようにする。  制御部１１は、指定されたサイズからなる複数の小ページに閲覧ページを分割し、分割したそれぞれの小ページを異なる数と一対一に対応して割り当てる。ユーザが、操作部１４により制御部１１により割り当てられた小ページと一対一に対応する小ページを指定する数を入力する。制御部１１は、操作部１４により入力された数が、所定時間以上長押しされたか否かを判定し、入力された数が所定時間以上長押しされたと判定した場合には、表示部１５は、入力された数に割り当てられた小ページを表示する。【特許請求の範囲】
【請求項１】
複数の小ページに閲覧ページを分割するページ分割部と、
前記ページ分割部により分割されたそれぞれの小ページを、異なる数と一対一に対応して割り当てる割当て部と、
前記割当て部により割り当てられた前記小ページと一対一に対応する小ページを指定する数を入力する入力部と、
前記入力部により入力された数を判定する判定部と、
前記判定部により、前記入力部により入力された数が判定された場合には、前記入力部により入力された数に割り当てられた前記小ページを表示する表示部と、を備える表示処理装置。
【請求項２】
請求項１記載の表示処理装置であって、
分割する前記小ページの数を設定する小ページ数設定部を更に備え、
前記ページ分割部は、前記小ページ数設定部により設定された前記小ページの数に基づき、前記閲覧ページを前記複数の小ページに分割する、表示処理装置。
【請求項３】
請求項１記載の表示処理装置であって、
前記ページ分割部は、前記表示部に表示可能サイズにて、前記閲覧ページを前記複数の小ページに分割する、表示処理装置。
【請求項４】
請求項１ないし３のいずれか１項記載の表示処理装置であって、
前記ページ分割部は、前記閲覧ページを第１の方向に沿って前記複数の小ページに分割する、表示処理装置。
【請求項５】
請求項４記載の表示処理装置であって、
前記ページ分割部は、前記閲覧ページを、さらに、前記第１の方向とは異なる第２の方向に沿って前記複数の小ページに分割する、表示処理装置。
【請求項６】
請求項５記載の表示処理装置であって、
前記第１の方向と前記第２の方向とは互いに略９０度をなす、表示処理装置。
【請求項７】
請求項１ないし６のいずれか１項記載の表示処理装置であって、
前記判定部は、前記入力部により入力された数が所定時間以上長押しされたか否かを判定し、
前記表示部は、前記判定部により、前記入力部により入力された数が所定時間以上長押しされたと判定された場合には、前記入力部により入力された数に割り当てられた前記小ページを表示する、表示処理装置。
【請求項８】
請求項１ないし６のいずれか１項記載の表示処理装置であって、
前記入力部は、前記小ページを指定する数を入力する数字入力部と、前記小ページを前記表示部に表示させる旨を指定する小ページ指定モード入力部とを含み、
前記判定部は、前記小ページ指定モード入力部と前記数字入力部が操作されたか否かを判定し、
前記表示部は、前記判定部により、前記小ページ指定モード入力部と前記数字入力部が操作されたと判定された場合には、前記数字入力部により入力された数に割り当てられた前記小ページを表示する、表示処理装置。
【請求項９】
請求項１ないし８のいずれか１項記載の表示処理装置を備える端末装置。
【請求項１０】
閲覧ページを複数の小ページに分割する閲覧ページ分割工程と、
前記複数の小ページのそれぞれと、互いに異なる数とを、一対一に対応させて割り当てる数字割り当て工程と、
割り当てられた前記小ページの数を入力する入力工程と、
前記入力した数を判定する判定工程と、
前記入力した数に割り当てられた前記小ページを表示する表示工程とを含む、表示処理方法。
【請求項１１】
請求項１０記載の表示処理方法であって、
前記分割工程は、分割する前記小ページの数を設定し、設定した前記小ページの数に基づいて、読み込まれたページを前記複数の小ページに分割する、表示処理方法。
【請求項１２】
請求項１０記載の表示処理方法であって、
前記分割工程は、前記小ページを表示する表示部に表示可能サイズにて、前記閲覧ページを前記複数の小ページに分割する、表示処理方法。
【請求項１３】
請求項１０ないし１２のいずれか１項記載の表示処理方法であって、
前記分割工程は、前記閲覧ページを第１の方向に沿って前記複数の小ページに分割する、表示処理方法。
【請求項１４】
請求項１３記載の表示処理方法であって、
前記ページ分割工程は、前記閲覧ページを、さらに、前記第１の方向とは異なる第２の方向に沿って前記複数の小ページに分割する、表示処理方法。
【請求項１５】
請求項１４記載の表示処理方法であって、
前記第１の方向と前記第２の方向とは互いに略９０度をなす、表示処理方法。
【請求項１６】
複数の小ページに閲覧ページを分割する手順と、
分割したそれぞれの小ページを異なる数と一対一に対応して割り当てる手順と、
割り当てられた前記小ページと一対一に対応する小ページを指定する数を入力させる手順と、
入力された数を判定する手順と、
入力された数に割り当てられた前記小ページを表示する手順と、
をコンピュータに実行させるプログラム。
【発明の詳細な説明】
【技術分野】
【０００１】  本発明は、種々の情報データを構成するページを閲覧する際に使用される表示処理装置、表示処理方法に関する。
【背景技術】
【０００２】  現在、携帯電話に代表される携帯端末等、小さい表示画面の機器においても、容量の大きい情報データを表示画面にて閲覧する機会が多くなっている。情報データには、送受信、メモ帳、インターネットからダウンロードされたＷｅｂページ等のブラウザ情報、ＣＤ等の記録メディアの記録情報等が存在する。【０００３】  上記情報データが複数のページより構成されている場合、この情報データを閲覧するに際して、現在閲覧しているページから別のページを変更して閲覧したい場合には、このページを指定する数字を入力することにより、閲覧希望するページをジャンプして表示する技術が知られている。また、１ページずつ画面をスクロールしていき、閲覧希望するページの箇所を表示する技術も用いられている（特開平１１−２５１１４号公報参照）。
【発明の開示】
【発明が解決しようとする課題】
【０００４】  しかしながら、上述した閲覧希望するページをジャンプして表示する技術では、指定した数字を入力することにより、閲覧希望するページをジャンプして表示することができたが、ページ内の閲覧希望する箇所にジャンプすることができなかった、また、１ページずつ画面をスクロールしていき、閲覧希望するページを表示する技術では、１画面ずつスクロールしていくことでユーザが閲覧希望するページの箇所を表示することができたが、１回の操作で行うことができなかった。このため、従来の技術では、情報データを閲覧する際し、閲覧希望するページの箇所を表示させるまでに無駄な時間と操作をユーザに強いさせてしまい、ユーザにとって操作ストレスが溜まるという事情があった。【０００５】  本発明は、上記従来の事情に鑑みてなされたものであって、情報データを閲覧するに際し、閲覧を希望するページの箇所を表示させるまでに無駄な時間と操作をユーザに強いさせないように操作の効率化を図り、ユーザに与える操作ストレスを解消させる表示処理装置及び表示処理方法を提供することを目的とする。
【課題を解決するための手段】
【０００６】  本発明の表示処理装置は、複数の小ページに閲覧ページを分割するページ分割部と、前記ページ分割部により分割されたそれぞれの小ページを、異なる数と一対一に対応して割り当てる割当て部と、前記割当て部により割り当てられた前記小ページと一対一に対応する小ページを指定する数を入力する入力部と、前記入力部により入力された数が、所定時間以上長押しされたか否かを判定する判定部と、前記判定部により、前記入力部により入力された数が所定時間以上長押しされたと判定された場合には、前記入力部により入力された数に割り当てられた前記小ページを表示する表示部とを備える。【０００７】  この構成によれば、入力部により入力された数に対応する、ページ分割部により分割された小ページを表示するので、情報データを閲覧する際し、閲覧希望するページの箇所を簡単な操作で表示させることができ、閲覧操作の効率化を図ることができる。【０００８】  また、表示処理装置には、分割する前記小ページの数を設定する小ページ数設定部を更に設けることができる。この場合、前記ページ分割部は、前記小ページ数設定部により設定された前記小ページの数に基づき、前記閲覧ページを前記複数の小ページに分割する。【０００９】  この構成によれば、ページ数設定部により分割する小ページの数を設定するので、ユーザが希望する小ページの数を自由に設定することができる。【００１０】  前記ページ分割部は、前記表示部に表示可能サイズにて、前記閲覧ページを前記複数の小ページに分割することができる。【００１１】  この構成によれば、ページ分割部が１画面を表示するサイズからなる複数の小ページに分割するので、入力部により入力された数に割り当てられた小ページのみを表示することができる。【００１２】  前記ページ分割部は、前記閲覧ページを第１の方向に沿って前記複数の小ページに分割してもよい。これにより、第１の方向の長さが表示部の長さよりも長い閲覧ページを、複数の小ページに分割することができる。【００１３】  また、前記ページ分割部は、前記閲覧ページを、第１の方向に加えてさらに、前記第１の方向とは異なる第２の方向に沿って前記複数の小ページに分割してもよい。これにより、第１の方向の長さと第２の方向の長さとが表示部のそれらの長さよりも長い閲覧ページを、複数の小ページに分割することができる。前記第１の方向と前記第２の方向とは、典型的には、互いに略９０度をなす。【００１４】  また、前記判定部は、前記入力部により入力された数が所定時間以上長押しされたか否かを判定し、前記表示部は、前記判定部により、前記入力部により入力された数が所定時間以上長押しされたと判定された場合には、前記入力部により入力された数に割り当てられた前記小ページを表示するよう、表示処理装置を構成することができる。【００１５】  この構成によれば、入力部により入力された数に対応する、ページ分割部により分割された小ページを表示するので、情報データを閲覧する際し、閲覧希望するページの箇所を表示させるまでに一回の操作で済み、閲覧操作の効率化を図ることができる。【００１６】  一方、前記入力部に、前記小ページを指定する数を入力する数字入力部と、前記小ページを前記表��部に表示させる旨を指定する小ページ指定モード入力部とを設けることもできる。この場合、前記判定部は、前記小ページ指定モード入力部と前記数字入力部が操作されたか否かを判定し、前記表示部は、前記判定部により、前記小ページ指定モード入力部と前記数字入力部が操作されたと判定された場合には、前記数字入力部により入力された数に割り当てられた前記小ページを表示する。【００１７】  この構成によれば、入力部により入力された数に対応する、ページ分割部により分割された小ページを表示するので、情報データを閲覧する際し、閲覧希望するページの箇所を簡単な操作で表示させることができ、閲覧操作の効率化を図ることができる。【００１８】  また、本発明の表示処理方法は、複数の小ページに閲覧ページを分割し、分割したそれぞれの小ページを異なる数と一対一に対応して割り当て、割り当てられた前記小ページと一対一に対応する小ページを指定する数を入力し、入力した数が所定時間以上長押しされたか否かを判定し、入力した数が所定時間以上長押しされたと判定された場合には、入力した数に割り当てられた前記小ページを表示する。【００１９】  この構成によれば、入力された数に対応する、分割された小ページを表示するので、情報データを閲覧する際し、閲覧希望するページの箇所を表示させるまでに一回の操作で済み、閲覧操作の効率化を図ることができる。【００２０】  上述の方法において、分割する前記小ページの数を設定し、設定した前記小ページの数に基づき、読み込まれたページを前記複数の小ページに分割することができる。【００２１】  この構成によれば、分割する小ページの数を設定するので、ユーザが希望する小ページの数を自由に設定することができる。【００２２】  また、複数の小ページに閲覧ページを分割するに際し、小ページを表示する表示部に表示可能サイズにて、前記閲覧ページを前記複数の小ページに分割することができる。【００２３】  この構成によれば、１画面を表示するサイズからなる複数の小ページに分割するので、入力部により入力された数に割り当てられた小ページのみを表示することができる。【００２４】  前記閲覧ページを第１の方向に沿って前記複数の小ページに分割してもよい。これにより、第１の方向の長さが表示部の長さよりも長い閲覧ページを、複数の小ページに分割することができる。【００２５】  また、前記閲覧ページを、第１の方向に加えてさらに、前記第１の方向とは異なる第２の方向に沿って前記複数の小ページに分割してもよい。これにより、第１の方向の長さと第２の方向の長さとが表示部のそれらの長さよりも長い閲覧ページを、複数の小ページに分割することができる。前記第１の方向と前記第２の方向とは、典型的には、互いに略９０度をなす。【００２６】  さらに本発明のプログラムは、複数の小ページに閲覧ページを分割する手順と、分割したそれぞれの小ページを異なる数と一対一に対応して割り当てる手順と、割り当て前記小ページと一対一に対応する小ページを指定する数を入力させる手順と、入力された数が所定時間以上長押しされたか否かを判定する手順と、入力された数が所定時間以上長押しされたと判定された場合には、入力させた数に割り当てられた前記小ページを表示する手順をコンピュータに実行させる。【００２７】  この構成によれば、入力された数に対応する、分割された小ページを表示するので、情報データを閲覧する際し、閲覧希望するページの箇所を表示させるまでに一回の操作で済み、閲覧操作の効率化を図ることができる。【００２８】  上述の表示処理装置、表示処理方法、プログラムは、種々の端末装置に利用することができる。
【発明の効果】
【００２９】  本発明は、情報データを閲覧する際し、閲覧希望するページの箇所を表示させるまでに無駄な時間と操作をユーザに強いさせないように操作の効率化を図り、ユーザに与える操作ストレスを解消させる表示処理装置及び表示処理方法を提供することができる。
【図面の簡単な説明】
【００３０】
【図１】本発明の第１の実施形態に係る表示処理装置が備える端末装置の構成を示すブロック図
【図２】第１の実施形態において、閲覧ページを複数の小ページに分割する方法を説明する図
【図３】本発明の第１の実施形態に係る表示処理装置が備える端末装置の動作を示すフローチャート
【図４】本発明の第２の実施形態において、閲覧ページを複数の小ページに分割する方法を説明する図
【図５】本発明の第２の実施形態に係る表示処理装置、端末装置の動作を示すフローチャート
【図６】本発明の実施形態３において、閲覧ページを複数の小ページに分割する方法を説明する図
【図７】本発明の実施形態４において、閲覧ページを複数の小ページに分割する方法を説明する図
【図８】本発明の実施形態に用いる表示部１５の模式図
【図９】本発明の実施形態に係る端末装置の斜視図
【符号の説明】
【００３１】  １０  端末装置
１１  制御部
１２  制御プログラム記憶部
１３  メモリ
１４  操作部
１５  表示部
２１  下筐体
２３  上筐体
２５  数字キー
２７  ＃キー
２９  ヒンジ部
【発明を実施するための最良の形態】
【００３２】  以下、本発明の実施するための最良の形態に係る表示処理装置及び表示処理方法について、図面を参照して説明する。【００３３】（第１の実施形態）
図１は本発明の第１の実施形態に係る表示処理装置の構成を示すブロック図である。図１に示すように、この実施形態の表示処理装置は、例えば携帯電話、パーソナルコンピュータ等の端末装置１０に内蔵されているものである。表示処理装置は、制御部１１と、制御プログラム記憶部１２と、メモリ１３と、操作部（入力部）１４と、表示部１５とを備えている。尚、端末装置１０には、アンテナおよび通信に関する回路を含む無線通信手段や、電源等その他の構成要素が存在するが、ここでは説明を省略する。【００３４】  制御部１１は、ＣＰＵにより構成されており、制御プログラム記憶部１２に記憶されている制御プログラムに従った処理を実行する。制御部１１は、例えば、ページ分割部１１Ａおよび小ページ数設定部１１Ｂを有する。小ページ数設定部１１Ｂは、例えば、操作部１４からの入力に基づいて、閲覧ページを特定するページ情報、及び、閲覧ページを複数の小ページに分割する際の分割数を有する閲覧ページ分割要求を生成する。小ページ数設定部１１Ｂは、この閲覧ページ分割要求をページ分割部１１Ａに出力する。閲覧ページ分割要求を受けたページ分割部１１Ａは、上記分割要求中に示された分割数の小ページに閲覧ページを分割する。【００３５】  制御部１１は、閲覧ページ分割要求に分割数が示されていない場合には、所定の分割数、例えば”１０”に設定することができる（デフォルト設定）。本実施形態では、閲覧ページを同じ大きさの１０の小ページに分割する方法を採用している（図２参照）。すなわちページ分割部１１Ａは、閲覧ページの全体表示領域を、一定の割合の領域毎に分割する。しかしながら、分割の方法は特に限定はされない。閲覧ページの所定領域ごとにデータ量を測定し、各小ページのデータ量が等しくなるよう、閲覧ページを小ページに分割することもできる。【００３６】  なお、制御部１１は、閲覧ページのサイズが表示部１５に一度に表示可能なサイズであるか否かを判定する、閲覧ページサイズ判定部１１Ｃを有してもよい。閲覧ページサイズ判定部１１Ｃについては、第２の実施の形態で説明する。【００３７】  また、制御部１１は、分割したそれぞれの小ページを異なる数字に一対一に対応して割り当て、操作部１４により入力された数が、所定時間以上長押しされたか否かを判定し、入力された数が所定時間以上長押しされたと判定された場合には、この数に対応するように割り当てられた小ページを表示部１５に出力して表示部１５に表示させる。すなわち、制御部１１は、割当て部及び長押し判定部（図１に不図示）を有する。なお、長押し時間は、ユーザの操作により設定することが可能である。なお、図２では、数字“１”から“１０”に割り当てられた小ページのそれぞれを、参照符号“１”から“１０”を用いて表している。【００３８】  制御プログラム記憶部１２は、ＲＯＭにより構成されており、制御部１１が行う処理を実行させる制御プログラムを記憶する。【００３９】  メモリ１３は、ＲＡＭにより構成されており、データ記憶領域１３１、分割ページ記憶領域１３２、キー状態記憶領域１３３、及び図示しないがワーク領域を有する。データ記憶領域１３１は、ユーザが表示部１５に情報データを構成する閲覧ページを記憶する。閲覧ページは、このページを特定するための情報として、例えば”ＡＢＣＤＥＦ．ＤＡＴ”というページ情報を有する。このような閲覧ページには、アンテナを介して他の端末装置から入力されたブラウザ情報、メール、メモ帳等のデータ、ユーザが作成したデータ、並びに、ＣＤ−ＲＯＭ等の記録データからなる外部情報データからなるページがある。【００４０】  分割ページ記憶領域１３２は、制御部１１により閲覧ページが分割された、例えば図２に示す”１”〜”１０”の小ページが記憶される。小ページは、この小ページを特定するための情報として、例えば，閲覧ページが”ＡＢＣＤＥＦ．ＤＡＴ”というものであり、そのページを１０の小ページに分割したうちの３番目のものである場合には、”ＡＢＣＤＥＦ．ＤＡＴ−３”という小ページ情報を有する。ここで、”−３”は、閲覧ページ”ＡＢＣＤＥＦ．ＤＡＴ”を分割して生成された”１”から”１０”の小ページのうち”３”に対応する小ページであることを示している。【００４１】  キー状態記憶領域１３３は、ユーザにより指定された小ページを閲覧させるとき、該当する小ページを指定する操作部から入力された数の長押し時間が記憶されている。長押し時間として例えば”３”秒の場合には、”３”が記憶される。ワーク領域は、制御部１１が処理を行う際に必要となる記憶領域である。【００４２】  操作部１４は、この実施形態の端末装置１０に実行させる操作を入力するための装置であって、マウス等のポインティングデバイス、テンキー、エンタキー、数字キー等を有するキーボード等からなる。表示部１５は、液晶表示装置からなり、閲覧ページ、小ページ、及びその他の表示内容を表示する。【００４３】  次に、この実施形態の表示処理装置、端末装置１０の動作を図２及び図３に基づき説明する。【００４４】  図３は実施形態の表示処理装置、端末装置の動作を示すフローチャートである。ユーザが、所定のデータ情報の閲覧ページをブラウザ等より取得する際、ユーザの操作により、操作部１４が、閲覧ページを特定するページ情報として、”ＡＢＣＤＥＦ．ＤＡＴ”を特定する。そして、当該ページが表示部１５により表示され、更にデータ記憶領域１３１に当該ページが記憶される（ステップＳ１０１）。なお、閲覧ページは、例えば、表示処理装置の無線通信手段を介して、取得することができる。【００４５】  前述のユーザの操作によって、閲覧ページを小ページに分割する際の分割数として、”１０”を有する閲覧ページ分割要求が、制御部１１の小ページ数設定部１１Ｂに出力されると（ステップＳ１０２）、制御部１１は、入力された閲覧ページ分割要求に示されている分割数”１０”をワーク領域に記憶する。【００４６】  次に、制御部１１のページ分割部１１Ａは、閲覧ページ分割要求に示されている閲覧ページ”ＡＢＣＤＥＦ．ＤＡＴ”をデータ記憶領域１３１から読み出し、分割数”１０”分の小ページに分割する（ステップＳ１０３）。次に、制御部１１の割当て部（不図示）は、分割したそれぞれの小ページを１から１０の異なる数字に一対一に対応して割り当て、割り当てられたこれらの小ページを分割ページ記憶領域１３２に記憶する（ステップＳ１０４）。ここで、例えば、２番���に割り当てられた小ページは、”ＡＢＣＤＥＦ．ＤＡＴ−２”という小ページ情報を有する。【００４７】  その後、小ページの中から閲覧したいものを示す、例えば数字キーの数”２”がユーザにより入力されると、操作部１４は、入力された数”２”が押下された旨を制御部１１に出力する。制御部１１の長押し判定部（図１に不図示）は、数”２”が押下された旨を操作部１４から入力されると、数”２”をワーク領域に記憶するとともに、キー状態記憶領域１３３に記憶されている長押し時間”３”を読み出し、数２”が押下されている時間、すなわち、数”２”を示す信号が入力された後なくなるまでの時間、例えば”３”秒を経過したか否かを判定する（ステップＳ１０５）。【００４８】  制御部１１の長押し判定部は、例えば”３”秒を経過していないと判定した場合には（ステップＳ１０５；ＮＯ）、小ページ閲覧処理を終了し、一方、”３”秒を経過したと判定した場合には（ステップＳ１０５；ＹＥＳ）、分割ページ記憶領域１３２に記憶されている”１”〜”１０”に対応する小ページ”ＡＢＣＤＥＦ．ＤＡＴ−×（×は１から１０の中の任意の数）”の中から、表示部１５に表示する小ページとして、数”２”に対応する小ページ”ＡＢＣＤＥＦ．ＤＡＴ−２”、数”３”に対応する小ページ”ＡＢＣＤＥＦ．ＤＡＴ−３”、及び数”４”に対応する小ページ”ＡＢＣＤＥＦ．ＤＡＴ−４”のうち表示部１５に表示可能な先頭部分のみを読み出し（ステップＳ１０６）、図２の如く表示部１５に出力する（図２の上の点線部分、参照符号２Ａを用いて示す）。表示部１５は、これらの小ページを表示し（ステップＳ１０７）、小ページ閲覧処理を終了する。【００４９】  尚、図２の例において、数”１０”が押下され、最後の小ページである”ＡＢＣＤＥＦ．ＤＡＴ−１０”が読み出される場合、画面には当該ページが表示されるが（図２の下の点線部分、参照符号１０Ａを用いて示す）、下の部分の表示領域が余ることになる。この場合、表示部１５には黒表示等、表示する部分がない旨の画像表示がなされる（図２の斜線部分、参照符号１０Ｂを用いて示す）。【００５０】  この実施形態の表示処理装置１０によれば、操作部１４により入力された数に対応する、分割部により分割された小ページを表示部１５が表示するので、情報データを閲覧する際し、閲覧希望するページの箇所を表示させるまでに一回の操作で済み、閲覧操作の効率化を図ることができる。このことにより、ユーザが閲覧希望するページの箇所を表示させるまでの無駄な時間と操作となくし、ユーザに与える操作ストレスを解消させることができる。【００５１】  また、この実施形態の表示処理装置１０によれば、操作部１４から入力された数に基づき、制御部１１が分割する小ページの数を設定するので、ユーザが希望する小ページの数を自由に設定することができる。【００５２】  上述した表示処理装置１０は、表示部１５に表示する小ページを操作部１４によって指定された数に対応する小ページ以外に、連続する数の小ページも同時に表示する。表示部１５は、閲覧ページ”ＡＢＣＤＥＦ．ＤＡＴ”の２／１０の大きさを表示することができるためである。これ以外の方法として、上述のステップＳ１０２において、ユーザが分割数を入力する代わりに、制御部１１が、表示部１５の１画面に表示可能な小ページのサイズに基づき、自動的に分割数を判定し、ステップＳ１０３において、閲覧ページを分割するようにしてもよい。【００５３】  このような構成をとることにより、制御部１１が１画面を表示するサイズからなる複数の小ページに分割するので、操作部１４により入力された数に割り当てられた小ページのみを表示部１５に表示することができる。【００５４】（第２の実施形態）
次に、本発明の第２の実施形態の表示処理装置、端末装置１０の構成、および動作を図１、図４及び図５に基づき説明する。本実施形態では、閲覧ページ全体を予め定められた数の小ページに分割するのではなく、表示部１５のサイズ（１画面のサイズ）に応じて、小ページを表示する。【００５５】  第２の実施形態の表示処理装置を備える端末装置１０の構成は、基本的には第１の実施形態の表示処理装置が備える端末装置１０の構成と同様であるので、以下では、第１の実施の形態で説明した構成要素と同様の構成要素については省略して説明する。【００５６】  図１に示すように第２の実施形態の端末装置１０では、制御部１１は、閲覧ページのサイズが表示部１５に一度に表示可能なサイズであるか否かを判定する、閲覧ページサイズ判定部１１Ｃを有する。閲覧ページサイズ判定部１１Ｃは、閲覧ページのサイズが表示部１５に一度に表示可能なサイズよりも大きい場合、閲覧ページのサイズが表示部１５に一度に表示可能なサイズでないと判定し、閲覧ページを小ページに分割する旨の命令を含む、閲覧ページ分割要求をページ分割部１１Ａに出力する。この閲覧ページ分割要求は、閲覧ページを複数の小ページに分割する際の分割数を含んでいなくてよい。すなわち、制御部１１は、本実施の形態のように閲覧ページサイズ判定部１１Ｃを有する場合、閲覧ページを幾つの小ページに分割するかを設定するための小ページ数設定部１１Ｂを有していなくてもよい。本実施の形態では、閲覧ページ分割要求を受けたページ分割部１１Ａは、閲覧ページ内の所定の位置を始点として、閲覧ページ全体を、表示部１５に一度に表示可能なサイズごとに、複数の小ページに分割する。【００５７】  ここで、閲覧ページサイズ判定部１１Ｃは、例えば、閲覧ページの画素数（ｐｉｘｅｌ数）Ｐ１を算出し、閲覧ページの画素数Ｐ１と携帯端末の表示部の画素数Ｐ２とを比較して、Ｐ１≦Ｐ２であれば、閲覧ページのサイズが表示部１５に一度に表示可能なサイズであると判定する。一方、Ｐ１＞Ｐ２であれば、閲覧ページのサイズが表示部１５に一度に表示可能なサイズでないと判定する。上記Ｐ１の算出方法には、公知の方法を用いることができる。端末装置１０は、閲覧ページを表示する前に上記Ｐ１を算出しても良いし、閲覧ページを表示しながら上記Ｐ１を算出しても良い。【００５８】  図５は第２の実施形態の表示処理装置、端末装置の動作を示すフローチャートである。ユーザが、所定のデータ情報の閲覧ページをブラウザ等より取得する際、ユーザの操作により、操作部１４が、閲覧ページを特定するページ情報として、”ＡＢＣＤＥＦ．ＤＡＴ”を特定し、閲覧ページを取得開始する（ステップＳ２０１）。閲覧ページの取得されたデータは順次データ記憶領域１３１に記憶される。【００５９】  閲覧ページの取得過程において、制御部１１の閲覧ページサイズ判定部１１Ｃが、当該ページが大きすぎるため表示部１５に一度に表示することができないと判定した場合、閲覧ページ分割要求がページ分割部１１Ａに出力される（ステップＳ２０２）。すると、ページ分割部１１Ａは、閲覧ページ”ＡＢＣＤＥＦ．ＤＡＴ”の記憶された分のデータをデータ記憶領域１３１から読み出し、表示部１５のサイ��毎に該データを分割する（ステップＳ２０３）。制御部１１の分割部は、分割された小ページの数Ｎに対応して、各小ページを１からＮの異なる数字に一対一に対応して割り当て、割り当てられたこれらの小ページを分割ページ記憶領域１３２に記憶する（ステップＳ２０４）。ここで、例えば、２番目に割り当てられた小ページは、”ＡＢＣＤＥＦ．ＤＡＴ−２”という小ページ情報を有する。【００６０】  そして、まず制御部１１は先頭の小ページを表示部１５に表示する（ステップＳ２０５）。その後、小ページの中から閲覧したいものを示す、例えば数字キーの数”２”がユーザにより入力されると、操作部１４は、入力された数”２”が押下された旨を制御部１１に出力する。制御部１１の長押し判定部は、数”２”が押下された旨を操作部１４から入力されると、数”２”をワーク領域に記憶するとともに、キー状態記憶領域１３３に記憶されている長押し時間”３”を読み出し、数２”が押下されている時間、すなわち、数”２”を示す信号が入力された後なくなるまでの時間、例えば”３”秒を経過したか否かを判定する（ステップＳ２０６）。【００６１】  制御部１１の長押し判定部は、長押しされたキーが数字キーであるか否か判定し（ステップＳ２０７）、該キーが数字キーでない場合は（ステップＳ２０７；ＮＯ）、処理を終了する。一方、該キーが数字キーである場合は（ステップＳ２０７；ＹＥＳ）、長押しによって指定された小ページの閲覧データが既に取得され、分割ページ記憶領域１３２に記憶されているか否か、制御部１１は判定し（ステップＳ２０８）、既に取得され記憶されている場合は（ステップＳ２０８；ＹＥＳ）、当該小ページを読み出して表示部１５に表示する（ステップＳ２１０）。一方、未だ当該小ページが取得されていないと判定された場合（ステップＳ２０８；ＮＯ）、制御部１１は指定された小ページを読み出し（ステップＳ２０９）、表示部１５に表示する（ステップＳ２１０）。結果的に、図４の如く表示部１５に小ページ“２”を出力する。なお、表示される領域を図４では参照符号２Ａを用いて示す。本実施形態では、各小ページのサイズは、表示部１５のサイズに対応することとなる。【００６２】  尚、上述の実施形態においては、小ページに対応したキーが、操作部１４を介して所定時間以上長押しされた場合に、この数に対応するように割り当てられた小ページが表示部１５に出力される構成を採用している（以下、「長押しモード」という。）。しかしながら表示する小ページの指定の方法はキーの長押しには限定されず、他の方法を用いることもできる。例えば、二つ以上のキーの組み合わせにより、特定の小ページを指定するようにすることもできる。【００６３】  上記図２および図４では、閲覧ページを１つの方向（縦方向）に沿って複数の小ページに分割する場合を示したが、本発明の実施形態はこれに限定されない。本発明の実施形態では、閲覧ページを２以上の方向に沿って複数の小ページに分割してもよい。【００６４】（第３の実施形態）
第３の実施形態では、例えば、閲覧ページを、第１の方向Ｆ（縦方向）と第２の方向Ｓ（横方向）とに沿って複数の小ページに分割する。以下、図３および図６を参照しながら、第３の実施形態の表示処理装置を有する端末装置１０の動作を説明する。第３の実施形態の端末装置１０は、基本的には上述した第１の実施の形態で図３を参照して説明した動作と同様の動作を行うので、以下では、第１の実施の形態で説明した動作と同様の動作については省略して説明する。図６は、閲覧ページを、第１の方向Ｆ（縦方向）と第２の方向Ｓ（横方向）とに沿って９の小ページに分割する方法を説明するための図である。【００６５】  本実施形態では、ステップＳ１０２において、閲覧ページを小ページに分割するための分割数として例えば”９”を有する閲覧ページ分割要求を制御部１１の小ページ数設定部１１Ｂに出力する。【００６６】  ステップＳ１０３において、制御部１１のページ分割部１１Ａは、閲覧ページ分割要求に示されている閲覧ページ”ＡＢＣＤＥＦ．ＤＡＴ”をデータ記憶領域１３１から読み出し、分割数”９”分の小ページに分割する。このとき、ページ分割部１１Ａは、例えば図６に示すように、閲覧ページを、第１の方向Ｆ（縦方向）に３、かつ、第２の方向Ｓ（横方向）に３の合計９の小ページに分割する。第１の方向Ｆと第２の方向Ｓとのなす角度は略９０度である。９の小ページのそれぞれは、いずれも第１の方向Ｆの長さが等しい。また、９の小ページのそれぞれは、いずれも第２の方向Ｓの長さが等しい。９の小ページのそれぞれは、同一サイズの長方形である。小ページのサイズは、端末装置の表示部１５のサイズよりも大きい。【００６７】  なお、上記の説明では、ステップＳ１０２で分割数として”９”を有する閲覧ページ分割要求を制御部１１に出力すれば、閲覧ページを、第１の方向Ｆ（縦方向）に３、かつ、第２の方向Ｓ（横方向）に３の合計９の小ページに自動的に分割する場合を説明したが、閲覧ページの分割方法ははこれに限定されない。例えば、閲覧ページを、第１の方向Ｆ（縦方向）および、／または第２の方向Ｓ（横方向）に、いくつの小ページに分割するかを設定可能にしてもよい。【００６８】  ステップＳ１０４において、制御部１１は、分割したそれぞれの小ページを１から９の異なる数字に一対一に対応して割り当て、割り当てられたこれらの小ページを分割ページ記憶領域１３２に記憶する。なお、図６では、数字“１”から“９”に割り当てられた小ページのそれぞれを、参照符号“１”から“９”を用いて表している。図６では、閲覧ページの左端を始点として、各小ページに順に数字“１”から“９”を割り当てる例を示しているが、数字の割り当て方法はこれに限定されない。【００６９】  端末装置１０として図９を参照して後述する携帯電話を用いた場合、図６に示す分割方法では、“１”から“９”に対応する小ページの閲覧ページ全体に対する配置は、端末装置１０の操作部１４に含まれる数字キー２５“１”から“９”の配置と同じである。すなわち、携帯電話の操作部１４に含まれる数字キーは、第１行目に１、２、３、第２行目に４、５、６および、第３行目に７、８、９が配置されているので、図６に示す小ページの閲覧ペー��全体に対する配置と同じである。この場合、閲覧ページ全体に対する小ページの配置を、ユーザが理解し易いというメリットがある。【００７０】  本実施形態の端末装置１０は、小ページのサイズが端末装置１０の表示部１５のサイズよりも大きい。従って、例えば閲覧したい小ページに対応する数字として“２”が操作部１４から入力された場合、図６に示すように“２”に対応する小ページの一部分（図６で参照符号２Ａを用いて示す）が表示部１５に表示される。はじめに表示部１５に表示される領域は、例えば、“２”に対応する小ページのうち、左上の一部分（２Ａ）である。表示されない残りの部分２Ｂは、例えば操作部１４に含まれるスクロールキーなどを用いて、従来と同様の方法で、適宜、表示させることができる。【００７１】（第４の実施形態）
第４の実施形態も第３の実施形態と同様に、閲覧ページを、第１の方向Ｆ（縦方向）と第２の方向Ｓ（横方向）とに沿って複数の小ページに分割する。第４の実施形態は、主として、閲覧ページが表示部１５のサイズ（１画面のサイズ）に応じて小ページに分割される点で第３の実施形態と異なる。【００７２】  以下、図５および図７を参照しながら、第４の実施形態の表示処理装置に含まれる端末装置１０の動作を説明する。第４の実施形態の端末装置１０は、基本的には上述した第２の実施の形態で図５を参照して説明した動作と同様の動作を行うので、以下では、第２の実施の形態で説明した動作と同様の動作については省略して説明する。図７は、閲覧ページを、第１の方向Ｆ（縦方向）と第２の方向Ｓ（横方向）とに沿って２０の小ページに分割される方法を説明するための図である。【００７３】  ステップＳ２０３において、制御部１１のページ分割部１１Ａは、閲覧ページ”ＡＢＣＤＥＦ．ＤＡＴ”の記憶された分のデータをデータ記憶領域１３１から読み出し、表示部１５のサイズ毎にデータを分割する（ステップＳ２０３）。図７の場合、例えば、閲覧ページ全体の第１の方向Ｆの長さは、表示部１５の第１の方向Ｆの長さの略４倍超略５倍未満である。また、閲覧ページ全体の第２の方向Ｓの長さは、表示部１５の第２の方向Ｓの長さの略４倍である。この場合、制御部１１は、閲覧ページを、第１の方向Ｆ（縦方向）と第２の方向Ｓ（横方向）とに沿って、縦方向Ｆに５、横方向Ｓに４の合計２０の小ページに分割する。第１の方向Ｆと第２の方向Ｓとのなす角度は略９０度である。【００７４】  ステップＳ２０４では、分割された小ページの数２０に対応して、各小ページを１から２０の異なる数字に一対一に対応して割り当て、割り当てられたこれらの小ページを分割ページ記憶領域１３２に記憶する。なお、図７では、数字“１”から“２０”に割り当てられた小ページのそれぞれを、参照符号“１”から“２０”を用いて表している。図７では、閲覧ページの左端を始点として、各小ページに順に数字“１”から“２０”を割り当てる例を示しているが、数字の割り当て方法はこれに限定されない。【００７５】  “１”から“１６”に対応する小ページのそれぞれは、表示部１５と同一サイズの長方形である。すなわち、“１”から“１６”に対応する小ページのそれぞれは、第１の方向Ｆの長さが表示部１５の第１の方向Ｆの長さに等しい。また、第２の方向Ｓの長さは、表示部１５の第２の方向Ｓの長さに等しい。“１”から“１６”に対応する小ページのそれぞれは、同一サイズの長方形である。“１７”から“２０”に対応する小ページのそれぞれは、表示部１５のサイズよりも小さい。すなわち、“１７”から“２０”に対応する小ページのそれぞれは、第１の方向Ｆの長さが表示部１５の第１の方向Ｆの長さよりも小さい。また、第２の方向Ｓの長さは、表示部１５の第２の方向Ｓの長さよりも小さい。【００７６】  例えば閲覧したい小ページに対応する数字として“２”が操作部１４から入力された場合、図７に示すように“２”に対応する小ページ全体（図７で参照符号２Ａで示す）が表示部１５に表示される。また、“１７”が操作部１４から入力された場合、“１７”に��応する小ページは表示部１５のサイズよりも小さいので、図７に示すように“１７”に対応する小ページ全体（図７で参照符号１７Ａで示す）が表示部１５に表示されるとともに、“１７”に対応する小ページの下部分に、黒表示等、表示する部分がない旨の画像表示がなされる（図２の斜線部分、参照符号１７Ｂを用いて示す）。【００７７】  上述した第１から第４の実施形態では、第１の方向（縦方向）、または第１の方向Ｆ（縦方向）と第２の方向Ｓ（横方向）とに沿って、閲覧ページを複数の小ページに分割する場合を例示したが、本発明の実施形態はこれらに限定されない。第１の方向Ｆと第２の方向Ｓとのなす角度は略９０度に限定されず、任意の角度を取り得る。第１の方向Ｆと第２の方向Ｓとのなす角度は、例えば、表示部１５の形状に基づいて適宜選択することができる。また、３以上の方向に沿って、閲覧ページを複数のページに分割してもよい。【００７８】  表示部１５は、表示部１５に表示されている小ページが、閲覧ページ全体のうちのどの部分に該当するのかを表示してもよい。この場合、表示されている小ページの、閲覧ページ全体に対する配置を、ユーザが理解し易いというメリットがある。【００７９】  具体的には、例えば、図２に示したように一の閲覧ページを縦方向１０の小ページに分割し、“２”に対応する小ページを表示する場合、表示部１５は、“２”に対応する小ページを表示すると共に、表示部１５の一部分に「２／１０」と表示する。【００８０】  また、例えば、図６に示したように一の閲覧ページを縦方向と横方向とに９の小ページに分割し、“２”に対応する小ページを表示する場合には、図８に示すように、“２”に対応する小ページを表示すると共に、表示部１５の一部分にマーク４０を表示する。マーク４０は、例えば、縦３、横３の合計９つのブロックに分割された四角形で構成される。この四角形は、閲覧ページが図６に示したように縦３、横３の合計９の小ページに分割されたことを意味する。また、この四角形の（ｘ（行）、ｙ（列））が（１、２）で表されるブロックを例えばカラー表示して、表示部１５に現在表示されている小ページの閲覧ページに対する配置を示す。表示部１５内におけるマーク４０の配置は特に限定されないが、表示部１５に小ページを表示する妨げにならないように、例えば表示部１５の端部に表示する。表示方法は、表示部１５に常時表示してもよいし、操作部１４の入力に基づいて適宜表示してもよい。また、ポップアップ等を用いて表示してもよい。【００８１】  本発明は、様々なウェブサイトやメールなどを閲覧できる携帯電話に好適に適用される。ウェブサイトやメールは、携帯電話に搭載される表示部１５のサイズ（例えばｙ方向のサイズ）よりも大きいページの情報データを有する場合が多いためである。また、本発明は、パソコン用に作られたウェブサイトをそのまま閲覧できる携帯電話向けのウェブブラウザが搭載された携帯電話に好適に適用される。パソコン用に作られたウェブサイトは、携帯電話に搭載される表示部１５のサイズ（例えばｘ方向およびｙ方向のサイズ）よりも大きいページの情報データを有する場合が多いためである。【００８２】  図９は、端末装置１０、特に携帯電話の斜視��を示す。携帯電話は、表示部１５を有する上筐体２３と操作部１４を有する下筐体２１が、ヒンジ部２９を介して開閉可能に接続されている。この例においては、小ページの指定は、数字キーの長押しではなく、小ページ指定モードキー（小ページ指定モード入力部）２７と数字キー（数字入力部）２５の組み合わせにより行なわれる。本例では、小ページ指定モードキー（ジャンプモードキー）２７は「＃」キーであるが、もちろん、「＊」キー等、他のキーを小ページ指定モードキーに割り当ててもよい。小ページ指定モードキー２７の操作により、数字キーの操作が通常のモードから、閲覧小ページの指定モード（ジャンプモード）に移行する。【００８３】  上記の説明で、表示部１５のサイズ、または、表示部１５に表示可能なサイズとは、図９に示す四角形状の表示部１５全体のサイズであってもよいし、表示部１５の一部分（例えば表示部１５のうちの中央部分のみ）であってもよい。【００８４】  この例においては、例えば、ユーザが小ページ“２”を閲覧したい場合、閲覧ページ取得後、「＊」キーを押した後、数字キー“２”を押す。すると図３のステップＳ１０５（図５のステップＳ２０６）で、制御部１１は「＊」キーと、数字キー“２”の入力検知に応じて、小ページ“２”を表示部１５に表示する。尚、「＊」キーの入力後、表示部１５に「閲覧したい小ページの番号を押してください。」の旨のメッセージを表示させてもよい。また、「長押しモード」と「ジャンプモード」のいずれかを予め選択可能にする機能を端末装置１０に付与することもできる。【００８５】  また、上述の実施形態において、一般的に、表示部１５は液晶でディスプレイ等により構成され、他の部分と一緒に一体の筐体に組み込まれる。しかしながら、この構成は必須ではなく、表示部１５を他の部分とは別体に構成することもできる。【００８６】  また、本発明の表示処理方法の手順をコンピュータに実行させるプログラムも本発明に含まれる。当該プログラムは、種々の記録媒体やメモリの形式にて端末装置の内部又は外部に保存される。【００８７】  以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。【００８８】  本出願は、２００５年３月２９日出願の日本特許出願（特願２００５−０９５４２５）に基づくものであり、その内容はここに参照として取り込まれる。
【産業上の利用可能性】
【００８９】  本発明によれば、情報データを閲覧する際し、閲覧希望するページの箇所を表示させるまでに無駄な時間と操作をユーザに強いさせないように操作の効率化を図り、ユーザに与える操作ストレスを解消させる表示処理装置及び表示処理方法が提供される。
【図１】
2006103830.tif 000002
【図２】
2006103830.tif 000003
【図３】
2006103830.tif 000004
【図４】
2006103830.tif 000005
【図５】
2006103830.tif 000006
【図６】
2006103830.tif 000007
【図７】
2006103830.tif 000008
【図８】
2006103830.tif 000009
【図９】
2006103830.tif 000010
【手続補正書】
【提出日】平成18年6月23日(2006.6.23)
【手続補正１】
【補正対象書類名】特許請求の範囲
【補正対象項目名】全文
【補正方法】変更
【補正の内容】
【特許請求の範囲】
【請求項１】
複数の小ページに閲覧ページを分割するページ分割部と、
前記ページ分割部により分割されたそれぞれの小ページを、異なる数と一対一に対応して割り当てる割当て部と、
前記割当て部により割り当てられた前記小ページと一対一に対応する小ページを指定する数を入力する入力部と、
前記入力部により入力された数を判定する判定部と、
前記判定部により、前記入力部により入力された数が判定された場合には、前記入力部により入力された数に割り当てられた前記小ページを表示する表示部と、を備える表示処理装置。
【請求項２】
請求項１記載の表示処理装置であって、
分割する前記小ページの数を設定する小ページ数設定部を更に備え、
前記ページ分割部は、前記小ページ数設定部により設定された前記小ページの数に基づき、前記閲覧ページを前記複数の小ページに分割する、表示処理装置。
【請求項３】
請求項１記載の表示処理装置であって、
前記ページ分割部は、前記表示部に表示可能サイズにて、前記閲覧ページを前記複数の小ページに分割する、表示処理装置。
【請求項４】
請求項１ないし３のいずれか１項記載の表示処理装置であって、
前記ページ分割部は、前記閲覧ページを第１の方向に沿って前記複数の小ページに分割する、表示処理装置。
【請求項５】
請求項４記載の表示処理装置であって、
前記ページ分割部は、前記閲覧ページを、さらに、前記第１の方向とは異なる第２の方向に沿って前記複数の小ページに分割する、表示処理装置。
【請求項６】
請求項５記載の表示処理装置であって、
前記第１の方向と前記第２の方向とは互いに略９０度をなす、表示処理装置。
【請求項７】
請求項１ないし６のいずれか１項記載の表示処理装置であって、
前記判定部は、前記入力部により入力された数が所定時間以上長押しされたか否かを判定し、
前記表示部は、前記判定部により、前記入力部により入力された数が所定時間以上長押しされたと判定された場合には、前記入力部により入力された数に割り当てられた前記小ページを表示する、表示処理装置。
【請求項８】
請求項１ないし６のいずれか１項記載の表示処理装置であって、
前記入力部は、前記小ページを指定する数を入力する数字入力部と、前記小ページを前記表示部に表示させる旨を指定する小ページ指定モード入力部とを含み、
前記判定部は、前記小ページ指定モード入力部と前記数字入力部が操作されたか否かを判定し、
前記表示部は、前記判定部により、前記小ページ指定モード入力部と前記数字入力部が操作されたと判定された場合には、前記数字入力部により入力された数に割り当てられた前記小ページを表示する、表示処理装置。
【請求項９】
請求項１ないし８のいずれか１項記載の表示処理装置を備える端末装置。
【請求項１０】
閲覧ページを複数の小ページに分割する閲覧ページ分割工程と、
前記複数の小ページのそれぞれと、互いに異なる数とを、一対一に対応させて割り当てる数字割り当て工程と、
割り当てられた前記小ページの数を入力する入力工程と、
前記入力した数を判定する判定工程と、
前記入力した数に割り当てられた前記小ページを表示する表示工程とを含む、表示処理方法。
【請求項１１】
請求項１０記載の表示処理方法であって、
前記分割工程は、分割する前記小ページの数を設定し、設定した前記小ページの数に基づいて、読み込まれたページを前記複数の小ページに分割する、表示処理方法。
【請求項１２】
請求項１０記載の表示処理方法であって、
前記分割工程は、前記小ページを表示する表示部に表示可能サイズにて、前記閲覧ページを前記複数の小ページに分割する、表示処理方法。
【請求項１３】
請求項１０ないし１２のいずれか１項記載の表示処理方法であって、
前記分割工程は、前記閲覧ページを第１の方向に沿って前記複数の小ページに分割する、表示処理方法。
【請求項１４】
請求項１３記載の表示処理方法であって、
前記ページ分割工程は、前記閲覧ページを、さらに、前記第１の方向とは異なる第２の方向に沿って前記複数の小ページに分割する、表示処理方法。
【請求項１５】
請求項１４記載の表示処理方法であって、
前記第１の方向と前記第２の方向とは互いに略９０度をなす、表示処理方法。
【請求項１６】
複数の小ページに閲覧ページを分割する手順と、
分割したそれぞれの小ページを異なる数と一対一に対応して割り当てる手順と、
割り当てられた前記小ページと一対一に対応する小ページを指定する数を入力させる手順と、
入力された数を判定する手順と、
入力された数に割り当てられた前記小ページを表示する手順と、
をコンピュータに実行させるプログラム。
【手続補正２】
【補正対象書類名】明細書
【補正対象項目名】全文
【補正方法】変更
【補正の内容】
【発明の詳細な説明】
【技術分野】
【０００１】
本発明は、種々の情報データを構成するページを閲覧する際に使用される表示処理装置、表示処理方法に関する。
【背景技術】
【０００２】
現在、携帯電話に代表される携帯端末等、小さい表示画面の機器においても、容量の大きい情報データを表示画面にて閲覧する機会が多くなっている。情報データには、送受信、メモ帳、インターネットからダウンロードされたＷｅｂページ等のブラウザ情報、ＣＤ等の記録メディアの記録情報等が存在する。
【０００３】
上記情報データが複数のページより構成されている場合、この情報データを閲覧するに際して、現在閲覧しているページから別のページを変更して閲覧したい場合には、このページを指定する数字を入力することにより、閲覧希望するページをジャンプして表示する技術が知られている。また、１ページずつ画面をスクロールしていき、閲覧希望するページの箇所を表示する技術も用いられている（特開平１１−２５１１４号公報参照）。
【発明の開示】
【発明が解決しようとする課題】
【０００４】
しかしながら、上述した閲覧希望するページをジャンプして表示する技術では、指定した数字を入力することにより、閲覧希望するページをジャンプして表示することができたが、ページ内の閲覧希望する箇所にジャンプすることができなかった、また、１ページずつ画面をスクロールしていき、閲覧希望するページを表示する技術では、１画面ずつスクロールしていくことでユーザが閲覧希望するページの箇所を表示することができたが、１回の操作で行うことができなかった。このため、従来の技術では、情報データを閲覧する際し、閲覧希望するページの箇所を表示させるまでに無駄な時間と操作をユーザに強いさせてしまい、ユーザにとって操作ストレスが溜まるという事情があった。
【０００５】
本発明は、上記従来の事情に鑑みてなされたものであって、情報データを閲覧するに際し、閲覧を希望するページの箇所を表示させるまでに無駄な時間と操作をユーザに強いさせないように操作の効率化を図り、ユーザに与える操作ストレスを解消させる表示処理装置及び表示処理方法を提供することを目的とする。
【課題を解決するための手段】
【０００６】
本発明の表示処理装置は、複数の小ページに閲覧ページを分割するページ分割部と、前記ページ分割部により分割されたそれぞれの小ページを、異なる数と一対一に対応して割り当てる割当て部と、前記割当て部により割り当てられた前記小ページと一対一に対応する小ページを指定する数を入力する入力部と、前記入力部により入力された数が、所定時間以上長押しされたか否かを判定する判定部と、前記判定部により、前記入力部により入力された数が所定時間以上長押しされたと判定された場合には、前記入力部により入力された数に割り当てられた前記小ページを表示する表示部とを備える。
【０００７】
この構成によれば、入力部により入力された数に対応する、ページ分割部により分割された小ページを表示するので、情報データを閲覧する際し、閲覧希望するページの箇所を簡単な操作で表示させることができ、閲覧操作の効率化を図ることができる。
【０００８】
また、表示処理装置には、分割する前記小ページの数を設定する小ページ数設定部を更に設けることができる。この場合、前記ページ分割部は、前記小ページ数設定部により設定された前記小ページの数に基づき、前記閲覧ページを前記複数の小ページに分割する。
【０００９】
この構成によれば、ページ数設定部により分割する小ページの数を設定するので、ユーザが希望する小ページの数を自由に設定することができる。
【００１０】
前記ページ分割部は、前記表示部に表示可能サイズにて、前記閲覧ページを前記複数の小ページに分割することができる。
【００１１】
この構成によれば、ページ分割部が１画面を表示するサイズからなる複数の小ページに分割するので、入力部により入力された数に割り当てられた小ページのみを表示することができる。
【００１２】
前記ページ分割部は、前記閲覧ページを第１の方向に沿って前記複数の小ページに分割してもよい。これにより、第１の方向の長さが表示部の長さよりも長い閲覧ページを、複数の小ページに分割することができる。
【００１３】
また、前記ページ分割部は、前記閲覧ページを、第１の方向に加えてさらに、前記第１の方向とは異なる第２の方向に沿って前記複数の小ページに分割してもよい。これにより、第１の方向の長さと第２の方向の長さとが表示部のそれらの長さよりも長い閲覧ページを、複数の小ページに分割することができる。前記第１の方向と前記第２の方向とは、典型的には、互いに略９０度をなす。
【００１４】
また、前記判定部は、前記入力部により入力された数が所定時間以上長押しされたか否かを判定し、前記表示部は、前記判定部により、前記入力部により入力された数が所定時間以上長押しされたと判定された場合には、前記入力部により入力された数に割り当てられた前記小ページを表示するよう、表示処理装置を構成することができる。
【００１５】
この構成によれば、入力部により入力された数に対応する、ページ分割部により分割された小ページを表示するので、情報データを閲覧する際し、閲覧希望するページの箇所を表示させるまでに一回の操作で済み、閲覧操作の効率化を図ることができる。
【００１６】
一方、前記入力部に、前記小ページを指定する数を入力する数字入力部と、前記小ページを前記表示部に表示させる旨を指定する小ページ指定モード入力部とを設けることもできる。この場合、前記判定部は、前記小ページ指定モード入力部と前記数字入力部が操作されたか否かを判定し、前記表示部は、前記判定部により、前記小ページ指定モード入力部と前記数字入力部が操作されたと判定された場合には、前記数字入力部により入力された数に割り当てられた前記小ページを表示する。
【００１７】
この構成によれば、入力部により入力された数に対応する、ページ分割部により分割された小ページを表示するので、情報データを閲覧する際し、閲覧希望するページの箇所を簡単な操作で表示させることができ、閲覧操作の効率化を図ることができる。
【００１８】
また、本発明の表示処理方法は、複数の小ページに閲覧ページを分割し、分割したそれぞれの小ページを異なる数と一対一に対応して割り当て、割り当てられた前記小ページと一対一に対応する小ページを指定する数を入力し、入力した数が所定時間以上長押しされたか否かを判定し、入力した数が所定時間以上長押しされたと判定された場合には、入力した数に割り当てられた前記小ページを表示する。
【００１９】
この構成によれば、入力された数に対応する、分割された小ページを表示するので、情報データを閲覧する際し、閲覧希望するページの箇所を表示させるまでに一回の操作で済み、閲覧操作の効率化を図ることができる。
【００２０】
上述の方法において、分割する前記小ページの数を設定し、設定した前記小ページの数に基づき、読み込まれたページを前記複数の小ページに分割することができる。
【００２１】
この構成によれば、分割する小ページの数を設定するので、ユーザが希望する小ページの数を自由に設定することができる。
【００２２】
また、複数の小ページに閲覧ページを分割するに際し、小ページを表示する表示部に表示可能サイズにて、前記閲覧ページを前記複数の小ページに分割することができる。
【００２３】
この構成によれば、１画面を表示するサイズからなる複数の小ページに分割するので、入力部により入力された数に割り当てられた小ページのみを表示することができる。
【００２４】
前記閲覧ページを第１の方向に沿って前記複数の小ページに分割してもよい。これにより、第１の方向の長さが表示部の長さよりも長い閲覧ページを、複数の小ページに分割することができる。
【００２５】
また、前記閲覧ページを、第１の方向に加えてさらに、前記第１の方向とは異なる第２の方向に沿って前記複数の小ページに分割してもよい。これにより、第１の方向の長さと第２の方向の長さとが表示部のそれらの長さよりも長い閲覧ページを、複数の小ページに分割することができる。前記第１の方向と前記第２の方向とは、典型的には、互いに略９０度をなす。
【００２６】
さらに本発明のプログラムは、複数の小ページに閲覧ページを分割する手順と、分割したそれぞれの小ページを異なる数と一対一に対応して割り当てる手順と、割り当て前記小ページと一対一に対応する小ページを指定する数を入力させる手順と、入力された数が所定時間以上長押しされたか否かを判定する手順と、入力された数が所定時間以上長押しされたと判定された場合には、入力させた数に割り当てられた前記小ページを表示する手順をコンピュータに実行させる。
【００２７】
この構成によれば、入力された数に対応する、分割された小ページを表示するので、情報データを閲覧する際し、閲覧希望するページの箇所を表示させるまでに一回の操作で済み、閲覧操作の効率化を図ることができる。
【００２８】
上述の表示処理装置、表示処理方法、プログラムは、種々の端末装置に利用することができる。
【発明の効果】
【００２９】
本発明は、情報データを閲覧する際し、閲覧希望するページの箇所を表示させるまでに無駄な時間と操作をユーザに強いさせないように操作の効率化を図り、ユーザに与える操作ストレスを解消させる表示処理装置及び表示処理方法を提供することができる。
【発明を実施するための最良の形態】
【００３０】
以下、本発明の実施するための最良の形態に係る表示処理装置及び表示処理方法について、図面を参照して説明する。
【００３１】
（第１の実施形態）
図１は本発明の第１の実施形態に係る表示処理装置の構成を示すブロック図である。図１に示すように、この実施形態の表示処理装置は、例えば携帯電話、パーソナルコンピュータ等の端末装置１０に内蔵されているものである。表示処理装置は、制御部１１と、制御プログラム記憶部１２と、メモリ１３と、操作部（入力部）１４と、表示部１５とを備えている。尚、端末装置１０には、アンテナおよび通信に関する回路を含む無線通信手段や、電源等その他の構成要素が存在するが、ここでは説明を省略する。
【００３２】
制御部１１は、ＣＰＵにより構成されており、制御プログラム記憶部１２に記憶されている制御プログラムに従った処理を実行する。制御部１１は、例えば、ページ分割部１１Ａおよび小ページ数設定部１１Ｂを有する。小ページ数設定部１１Ｂは、例えば、操作部１４からの入力に基づいて、閲覧ページを特定するページ情報、及び、閲覧ページを複数の小ページに分割する際の分割数を有する閲覧ページ分割要求を生成する。小ページ数設定部１１Ｂは、この閲覧ページ分割要求をページ分割部１１Ａに出力する。閲覧ページ分割要求を受けたページ分割部１１Ａは、上記分割要求中に示された分割数の小ページに閲覧ページを分割する。
【００３３】
制御部１１は、閲覧ページ分割要求に分割数が示されていない場合には、所定の分割数、例えば”１０”に設定することができる（デフォルト設定）。本実施形態では、閲覧ページを同じ大きさの１０の小ページに分割する方法を採用している（図２参照）。すなわちページ分割部１１Ａは、閲覧ページの全体表示領域を、一定の割合の領域毎に分割する。しかしながら、分割の方法は特に限定はされない。閲覧ページの所定領域ごとにデータ量を測定し、各小ページのデータ量が等しくなるよう、閲覧ページを小ページに分割することもできる。
【００３４】
なお、制御部１１は、閲覧ページのサイズが表示部１５に一度に表示可能なサイズであるか否かを判定する、閲覧ページサイズ判定部１１Ｃを有してもよい。閲覧ページサイズ判定部１１Ｃについては、第２の実施の形態で説明する。
【００３５】
また、制御部１１は、分割したそれぞれの小ページを異なる数字に一対一に対応して割り当て、操作部１４により入力された数が、所定時間以上長押しされたか否かを判定し、入力された数が所定時間以上長押しされたと判定された場合には、この数に対応するように割り当てられた小ページを表示部１５に出力して表示部１５に表示させる。すなわち、制御部１１は、割当て部及び長押し判定部（図１に不図示）を有する。なお、長押し時間は、ユーザの操作により設定することが可能である。なお、図２では、数字“１”から“１０”に割り当てられた小ページのそれぞれを、参照符号“１”から“１０”を用いて表している。
【００３６】
制御プログラム記憶部１２は、ＲＯＭにより構成されており、制御部１１が行う処理を実行させる制御プログラムを記憶する。
【００３７】
メモリ１３は、ＲＡＭにより構成されており、データ記憶領域１３１、分割ページ記憶領域１３２、キー状態記憶領域１３３、及び図示しないがワーク領域を有する。データ記憶領域１３１は、ユーザが表示部１５に情報データを構成する閲覧ページを記憶する。閲覧ページは、このページを特定するための情報として、例えば”ＡＢＣＤＥＦ．ＤＡＴ”というページ情報を有する。このような閲覧ページには、アンテナを介して他の端末装置から入力されたブラウザ情報、メール、メモ帳等のデータ、ユーザが作成したデータ、並びに、ＣＤ−ＲＯＭ等の記録データからなる外部情報データからなるページがある。
【００３８】
分割ページ記憶領域１３２は、制御部１１により閲覧ページが分割された、例えば図２に示す”１”〜”１０”の小ページが記憶される。小ページは、この小ページを特定するための情報として、例えば，閲覧ページが”ＡＢＣＤＥＦ．ＤＡＴ”というものであり、そのページを１０の小ページに分割したうちの３番目のものである場合には、”ＡＢＣＤＥＦ．ＤＡＴ−３”という小ページ情報を有する。ここで、”−３”は、閲覧ページ”ＡＢＣＤＥＦ．ＤＡＴ”を分割して生成された”１”から”１０”の小ページのうち”３”に対応する小ページであることを示している。
【００３９】
キー状態記憶領域１３３は、ユーザにより指定された小ページを閲覧させるとき、該当する小ページを指定する操作部から入力された数の長押し時間が記憶されている。長押し時間として例えば”３”秒の場合には、”３”が記憶される。ワーク領域は、制御部１１が処理を行う際に必要となる記憶領域である。
【００４０】
操作部１４は、この実施形態の端末装置１０に実行させる操作を入力するための装置であって、マウス等のポインティングデバイス、テンキー、エンタキー、数字キー等を有するキーボード等からなる。表示部１５は、液晶表示装置からなり、閲覧ページ、小ページ、及びその他の表示内容を表示する。
【００４１】
次に、この実施形態の表示処理装置、端末装置１０の動作を図２及び図３に基づき説明する。
【００４２】
図３は実施形態の表示処理装置、端末装置の動作を示すフローチャートである。ユーザが、所定のデータ情報の閲覧ページをブラウザ等より取得する際、ユーザの操作により、操作部１４が、閲覧ページを特定するページ情報として、”ＡＢＣＤＥＦ．ＤＡＴ”を特定する。そして、当該ページが表示部１５により表示され、更にデータ記憶領域１３１に当該ページが記憶される（ステップＳ１０１）。なお、閲覧ページは、例えば、表示処理装置の無線通信手段を介して、取得することができる。
【００４３】
前述のユーザの操作によって、閲覧ページを小ページに分割する際の分割数として、”１０”を有する閲覧ページ分割要求が、制御部１１の小ページ数設定部１１Ｂに出力されると（ステップＳ１０２）、制御部１１は、入力された閲覧ページ分割要求に示されている分割数”１０”をワーク領域に記憶する。
【００４４】
次に、制御部１１のページ分割部１１Ａは、閲覧ページ分割要求に示されている閲覧ページ”ＡＢＣＤＥＦ．ＤＡＴ”をデータ記憶領域１３１から読み出し、分割数”１０”分の小ページに分割する（ステップＳ１０３）。次に、制御部１１の割当て部（不図示）は、分割したそれぞれの小ページを１から１０の異なる数字に一対一に対応して割り当て、割り当てられたこれらの小ページを分割ページ記憶領域１３２に記憶する（ステップＳ１０４）。ここで、例えば、２番目に割り当てられた小ページは、”ＡＢＣＤＥＦ．ＤＡＴ−２”という小ページ情報を有する。
【００４５】
その後、小ページの中から閲覧したいものを示す、例えば数字キーの数”２”がユーザにより入力されると、操作部１４は、入力された数”２”が押下された旨を制御部１１に出力する。制御部１１の長押し判定部（図1に不図示）は、数”２”が押下された旨を操作部１４から入力されると、数”２”をワーク領域に記憶するとともに、キー状態記憶領域１３３に記憶されている長押し時間”３”を読み出し、数２”が押下されている時間、すなわち、数”２”を示す信号が入力された後なくなるまでの時間、例えば”３”秒を経過したか否かを判定する（ステップＳ１０５）。
【００４６】
制御部１１の長押し判定部は、例えば”３”秒を経過していないと判定した場合には（ステップＳ１０５；ＮＯ）、小ページ閲覧処理を終了し、一方、”３”秒を経過したと判定した場合には（ステップＳ１０５；ＹＥＳ）、分割ページ記憶領域１３２に記憶されている”１”〜”１０”に対応する小ページ”ＡＢＣＤＥＦ．ＤＡＴ−×（×は１から１０の中の任意の数）”の中から、表示部１５に表示する小ページとして、数”２”に対応する小ページ”ＡＢＣＤＥＦ．ＤＡＴ−２”、数”３”に対応する小ページ”ＡＢＣＤＥＦ．ＤＡＴ−３”、及び数”４”に対応する小ページ”ＡＢＣＤＥＦ．ＤＡＴ−４”のうち表示部１５に表示可能な先頭部分のみを読み出し（ステップＳ１０６）、図２の如く表示部１５に出力する（図２の上の点線部分、参照符号２Ａを用いて示す）。表示部１５は、これらの小ページを表示し（ステップＳ１０７）、小ページ閲覧処理を終了する。
【００４７】
尚、図２の例において、数”１０”が押下され、最後の小ページである”ＡＢＣＤＥＦ．ＤＡＴ−１０”が読み出される場合、画面には当該ページが表示されるが（図２の下の点線部分、参照符号１０Ａを用いて示す）、下の部分の表示領域が余ることになる。この場合、表示部１５には黒表示等、表示する部分がない旨の画像表示がなされる（図２の斜線部分、参照符号１０Ｂを用いて示す）。
【００４８】
この実施形態の表示処理装置１０によれば、操作部１４により入力された数に対応する、分割部により分割された小ページを表示部１５が表示するので、情報データを閲覧する際し、閲覧希望するページの箇所を表示させるまでに一回の操作で済み、閲覧操作の効率化を図ることができる。このことにより、ユーザが閲覧希望するページの箇所を表示させるまでの無駄な時間と操作となくし、ユーザに与える操作ストレスを解消させることができる。
【００４９】
また、この実施形態の表示処理装置１０によれば、操作部１４から入力された数に基づき、制御部１１が分割する小ページの数を設定するので、ユーザが希望する小ページの数を自由に設定することができる。
【００５０】
上述した表示処理装置１０は、表示部１５に表示する小ページを操作部１４によって指定された数に対応する小ページ以外に、連続する数の小ページも同時に表示する。表示部１５は、閲覧ページ”ＡＢＣＤＥＦ．ＤＡＴ”の２／１０の大きさを表示することができるためである。これ以外の方法として、上述のステップＳ１０２において、ユーザが分割数を入力する代わりに、制御部１１が、表示部１５の１画面に表示可能な小ページのサイズに基づき、自動的に分割数を判定し、ステップＳ１０３において、閲覧ページを分割するようにしてもよい。
【００５１】
このような構成をとることにより、制御部１１が１画面を表示するサイズからなる複数の小ページに分割するので、操作部１４により入力された数に割り当てられた小ページのみを表示部１５に表示することができる。
【００５２】
（第２の実施形態）
次に、本発明の第２の実施形態の表示処理装置、端末装置１０の構成、および動作を図１、図４及び図５に基づき説明する。本実施形態では、閲覧ページ全体を予め定められた数の小ページに分割するのではなく、表示部１５のサイズ（１画面のサイズ）に応じて、小ページを表示する。
【００５３】
第２の実施形態の表示処理装置を備える端末装置１０の構成は、基本的には第１の実施形態の表示処理装置が備える端末装置１０の構成と同様であるので、以下では、第１の実施の形態で説明した構成要素と同様の構成要素については省略して説明する。
【００５４】
図１に示すように第２の実施形態の端末装置１０では、制御部１１は、閲覧ページのサイズが表示部１５に一度に表示可能なサイズであるか否かを判定する、閲覧ページサイズ判定部１１Ｃを有する。閲覧ページサイズ判定部１１Ｃは、閲覧ページのサイズが表示部１５に一度に表示可能なサイズよりも大きい場合、閲覧ページのサイズが表示部１５に一度に表示可能なサイズでないと判定し、閲覧ページを小ページに分割する旨の命令を含む、閲覧ページ分割要求をページ分割部１１Ａに出力する。この閲覧ページ分割要求は、閲覧ページを複数の小ページに分割する際の分割数を含んでいなくてよい。すなわち、制御部１１は、本実施の形態のように閲覧ページサイズ判定部１１Ｃを有する場合、閲覧ページを幾つの小ページに分割するかを設定するための小ページ数設定部１１Ｂを有していなくてもよい。本実施の形態では、閲覧ページ分割要求を受けたページ分割部１１Ａは、閲覧ページ内の所定の位置を始点として、閲覧ページ全体を、表示部１５に一度に表示可能なサイズごとに、複数の小ページに分割する。
【００５５】
ここで、閲覧ページサイズ判定部１１Ｃは、例えば、閲覧ページの画素数（pixel数）Ｐ１を算出し、閲覧ページの画素数Ｐ１と携帯端末の表示部の画素数Ｐ２とを比較して、Ｐ１≦Ｐ２であれば、閲覧ページのサイズが表示部１５に一度に表示可能なサイズであると判定する。一方、Ｐ１＞Ｐ２であれば、閲覧ページのサイズが表示部１５に一度に表示可能なサイズでないと判定する。上記Ｐ１の算出方法には、公知の方法を用いることができる。端末装置１０は、閲覧ページを表示する前に上記Ｐ１を算出しても良いし、閲覧ページを表示しながら上記Ｐ１を算出しても良い。
【００５６】
図５は第２の実施形態の表示処理装置、端末装置の動作を示すフローチャートである。ユーザが、所定のデータ情報の閲覧ページをブラウザ等より取得する際、ユーザの操作により、操作部１４が、閲覧ページを特定するページ情報として、”ＡＢＣＤＥＦ．ＤＡＴ”を特定し、閲覧ページを取得開始する（ステップＳ２０１）。閲覧ページの取得されたデータは順次データ記憶領域１３１に記憶される。
【００５７】
閲覧ページの取得過程において、制御部１１の閲覧ページサイズ判定部１１Ｃが、当該ページが大きすぎるため表示部１５に一度に表示することができないと判定した場合、閲覧ページ分割要求がページ分割部１１Ａに出力される（ステップＳ２０２）。すると、ページ分割部１１Ａは、閲覧ページ”ＡＢＣＤＥＦ．ＤＡＴ”の記憶された分のデータをデータ記憶領域１３１から読み出し、表示部１５のサイズ毎に該データを分割する（ステップＳ２０３）。制御部１１の分割部は、分割された小ページの数Ｎに対応して、各小ページを１からＮの異なる数字に一対一に対応して割り当て、割り当てられたこれらの小ページを分割ページ記憶領域１３２に記憶する（ステップＳ２０４）。ここで、例えば、２番目に割り当てられた小ページは、”ＡＢＣＤＥＦ．ＤＡＴ−２”という小ページ情報を有する。
【００５８】
そして、まず制御部１１は先頭の小ページを表示部１５に表示する（ステップＳ２０５）。その後、小ページの中から閲覧したいものを示す、例えば数字キーの数”２”がユーザにより入力されると、操作部１４は、入力された数”２”が押下された旨を制御部１１に出力する。制御部１１の長押し判定部は、数”２”が押下された旨を操作部１４から入力されると、数”２”をワーク領域に記憶するとともに、キー状態記憶領域１３３に記憶されている長押し時間”３”を読み出し、数２”が押下されている時間、すなわち、数”２”を示す信号が入力された後なくなるまでの時間、例えば”３”秒を経過したか否かを判定する（ステップＳ２０６）。
【００５９】
制御部１１の長押し判定部は、長押しされたキーが数字キーであるか否か判定し（ステップＳ２０７）、該キーが数字キーでない場合は（ステップＳ２０７；ＮＯ）、処理を終了する。一方、該キーが数字キーである場合は（ステップＳ２０７；ＹＥＳ）、長押しによって指定された小ページの閲覧データが既に取得され、分割ページ記憶領域１３２に記憶されているか否か、制御部１１は判定し（ステップＳ２０８）、既に取得され記憶されている場合は（ステップＳ２０８；ＹＥＳ）、当該小ページを読み出して表示部１５に表示する（ステップＳ２１０）。一方、未だ当該小ページが取得されていないと判定された場合（ステップＳ２０８；ＮＯ）、制御部１１は指定された小ページを読み出し（ステップＳ２０９）、表示部１５に表示する（ステップＳ２１０）。結果的に、図４の如く表示部１５に小ページ“２”を出力する。なお、表示される領域を図４では参照符号２Ａを用いて示す。本実施形態では、各小ページのサイズは、表示部１５のサイズに対応することとなる。
【００６０】
尚、上述の実施形態においては、小ページに対応したキーが、操作部１４を介して所定時間以上長押しされた場合に、この数に対応するように割り当てられた小ページが表示部１５に出力される構成を採用している（以下、「長押しモード」という。）。しかしながら表示する小ページの指定の方法はキーの長押しには限定されず、他の方法を用いることもできる。例えば、二つ以上のキーの組み合わせにより、特定の小ページを指定するようにすることもできる。
【００６１】
上記図２および図４では、閲覧ページを１つの方向（縦方向）に沿って複数の小ページに分割する場合を示したが、本発明の実施形態はこれに限定されない。本発明の実施形態では、閲覧ページを２以上の方向に沿って複数の小ページに分割してもよい。
【００６２】
（第３の実施形態）
第３の実施形態では、例えば、閲覧ページを、第１の方向Ｆ（縦方向）と第２の方向Ｓ（横方向）とに沿って複数の小ページに分割する。以下、図３および図６を参照しながら、第３の実施形態の表示処理装置を有する端末装置１０の動作を説明する。第３の実施形態の端末装置１０は、基本的には上述した第１の実施の形態で図３を参照して説明した動作と同様の動作を行うので、以下では、第１の実施の形態で説明した動作と同様の動作については省略して説明する。図６は、閲覧ページを、第１の方向Ｆ（縦方向）と第２の方向Ｓ（横方向）とに沿って９の小ページに分割する方法を説明するための図である。
【００６３】
本実施形態では、ステップＳ１０２において、閲覧ページを小ページに分割するための分割数として例えば”９”を有する閲覧ページ分割要求を制御部１１の小ページ数設定部１１Ｂに出力する。
【００６４】
ステップＳ１０３において、制御部１１のページ分割部１１Ａは、閲覧ページ分割要求に示されている閲覧ページ”ＡＢＣＤＥＦ．ＤＡＴ”をデータ記憶領域１３１から読み出し、分割数”９”分の小ページに分割する。このとき、ページ分割部１１Ａは、例えば図６に示すように、閲覧ページを、第１の方向Ｆ（縦方向）に３、かつ、第２の方向Ｓ（横方向）に３の合計９の小ページに分割する。第１の方向Ｆと第２の方向Ｓとのなす角度は略９０度である。９の小ページのそれぞれは、いずれも第１の方向Ｆの長さが等しい。また、９の小ページのそれぞれは、いずれも第２の方向Ｓの長さが等しい。９の小ページのそれぞれは、同一サイズの長方形である。小ページのサイズは、端末装置の表示部１５のサイズよりも大きい。
【００６５】
なお、上記の説明では、ステップＳ１０２で分割数として”９”を有する閲覧ページ分割要求を制御部１１に出力すれば、閲覧ページを、第１の方向Ｆ（縦方向）に３、かつ、第２の方向Ｓ（横方向）に３の合計９の小ページに自動的に分割する場合を説明したが、閲覧ページの分割方法ははこれに限定されない。例えば、閲覧ページを、第１の方向Ｆ（縦方向）および、／または第２の方向Ｓ（横方向）に、いくつの小ページに分割するかを設定可能にしてもよい。
【００６６】
ステップＳ１０４において、制御部１１は、分割したそれぞれの小ページを１から９の異なる数字に一対一に対応して割り当て、割り当てられたこれらの小ページを分割ページ記憶領域１３２に記憶する。なお、図６では、数字“１”から“９”に割り当てられた小ページのそれぞれを、参照符号“１”から“９”を用いて表している。図６では、閲覧ページの左端を始点として、各小ページに順に数字“１”から“９”を割り当てる例を示しているが、数字の割り当て方法はこれに限定されない。
【００６７】
端末装置１０として図９を参照して後述する携帯電話を用いた場合、図６に示す分割方法では、“１”から“９”に対応する小ページの閲覧ページ全体に対する配置は、端末装置１０の操作部１４に含まれる数字キー２５“１”から“９”の配置と同じである。すなわち、携帯電話の操作部１４に含まれる数字キーは、第１行目に１、２、３、第２行目に４、５、６および、第３行目に７、８、９が配置されているので、図６に示す小ページの閲覧ページ全体に対する配置と同じである。この場合、閲覧ページ全体に対する小ページの配置を、ユーザが理解し易いというメリットがある。
【００６８】
本実施形態の端末装置１０は、小ページのサイズが端末装置１０の表示部１５のサイズよりも大きい。従って、例えば閲覧したい小ページに対応する数字として“２”が操作部１４から入力された場合、図６に示すように“２”に対応する小ページの一部分（図６で参照符号２Ａを用いて示す）が表示部１５に表示される。はじめに表示部１５に表示される領域は、例えば、“２”に対応する小ページのうち、左上の一部分（２Ａ）である。表示されない残りの部分２Ｂは、例えば操作部１４に含まれるスクロールキーなどを用いて、従来と同様の方法で、適宜、表示させることができる。
【００６９】
（第４の実施形態）
第４の実施形態も第３の実施形態と同様に、閲覧ページを、第１の方向Ｆ（縦方向）と第２の方向Ｓ（横方向）とに沿って複数の小ページに分割する。第４の実施形態は、主として、閲覧ページが表示部１５のサイズ（１画面のサイズ）に応じて小ページに分割される点で第３の実施形態と異なる。
【００７０】
以下、図５および図７を参照しながら、第４の実施形態の表示処理装置に含まれる端末装置１０の動作を説明する。第４の実施形態の端末装置１０は、基本的には上述した第２の実施の形態で図５を参照して説明した動作と同様の動作を行うので、以下では、第２の実施の形態で説明した動作と同様の動作については省略して説明する。図７は、閲覧ページを、第１の方向Ｆ（縦方向）と第２の方向Ｓ（横方向）とに沿って２０の小ページに分割される方法を説明するための図である。
【００７１】
ステップＳ２０３において、制御部１１のページ分割部１１Ａは、閲覧ページ”ＡＢＣＤＥＦ．ＤＡＴ”の記憶された分のデータをデータ記憶領域１３１から読み出し、表示部１５のサイズ毎にデータを分割する（ステップＳ２０３）。図７の場合、例えば、閲覧ページ全体の第１の方向Ｆの長さは、表示部１５の第１の方向Ｆの長さの略４倍超略５倍未満である。また、閲覧ページ全体の第２の方向Ｓの長さは、表示部１５の第２の方向Ｓの長さの略４倍である。この場合、制御部１１は、閲覧ページを、第１の方向Ｆ（縦方向）と第２の方向Ｓ（横方向）とに沿って、縦方向Ｆに５、横方向Ｓに４の合計２０の小ページに分割する。第１の方向Ｆと第２の方向Ｓとのなす角度は略９０度である。
【００７２】
ステップＳ２０４では、分割された小ページの数２０に対応して、各小ページを１から２０の異なる数字に一対一に対応して割り当て、割り当てられたこれらの小ページを分割ページ記憶領域１３２に記憶する。なお、図７では、数字“１”から“２０”に割り当てられた小ページのそれぞれを、参照符号“１”から“２０”を用いて表している。図７では、閲覧ページの左端を始点として、各小ページに順に数字“１”から“２０”を割り当てる例を示しているが、数字の割り当て方法はこれに限定されない。
【００７３】
“１”から“１６”に対応する小ページのそれぞれは、表示部１５と同一サイズの長方形である。すなわち、“１”から“１６”に対応する小ページのそれぞれは、第１の方向Ｆの長さが表示部１５の第１の方向Ｆの長さに等しい。また、第２の方向Ｓの長さは、表示部１５の第２の方向Ｓの長さに等しい。“１”から“１６”に対応する小ページのそれぞれは、同一サイズの長方形である。“１７”から“２０”に対応する小ページのそれぞれは、表示部１５のサイズよりも小さい。すなわち、“１７”から“２０”に対応する小ページのそれぞれは、第１の方向Ｆの長さが表示部１５の第１の方向Ｆの長さよりも小さい。また、第２の方向Ｓの長さは、表示部１５の第２の方向Ｓの長さよりも小さい。
【００７４】
例えば閲覧したい小ページに対応する数字として“２”が操作部１４から入力された場合、図７に示すように “２”に対応する小ページ全体（図７で参照符号２Ａで示す）が表示部１５に表示される。また、“１７”が操作部１４から入力された場合、“１７”に対応する小ページは表示部１５のサイズよりも小さいので、図７に示すように “１７”に対応する小ページ全体（図７で参照符号１７Ａで示す）が表示部１５に表示されるとともに、“１７”に対応する小ページの下部分に、黒表示等、表示する部分がない旨の画像表示がなされる（図２の斜線部分、参照符号１７Ｂを用いて示す）。
【００７５】
上述した第１から第４の実施形態では、第１の方向（縦方向）、または第１の方向Ｆ（縦方向）と第２の方向Ｓ（横方向）とに沿って、閲覧ページを複数の小ページに分割する場合を例示したが、本発明の実施形態はこれらに限定されない。第１の方向Ｆと第２の方向Ｓとのなす角度は略９０度に限定されず、任意の角度を取り得る。第１の方向Ｆと第２の方向Ｓとのなす角度は、例えば、表示部１５の形状に基づいて適宜選択することができる。また、３以上の方向に沿って、閲覧ページを複数のページに分割してもよい。
【００７６】
表示部１５は、表示部１５に表示されている小ページが、閲覧ページ全体のうちのどの部分に該当するのかを表示してもよい。この場合、表示されている小ページの、閲覧ページ全体に対する配置を、ユーザが理解し易いというメリットがある。
【００７７】
具体的には、例えば、図２に示したように一の閲覧ページを縦方向１０の小ページに分割し、“２”に対応する小ページを表示する場合、表示部１５は、“２”に対応する小ページを表示すると共に、表示部１５の一部分に「２／１０」と表示する。
【００７８】
また、例えば、図６に示したように一の閲覧ページを縦方向と横方向とに９の小ページに分割し、“２”に対応する小ページを表示する場合には、図８に示すように、“２”に対応する小ページを表示すると共に、表示部１５の一部分にマーク４０を表示する。マーク４０は、例えば、縦３、横３の合計９つのブロックに分割された四角形で構成される。この四角形は、閲覧ページが図６に示したように縦３、横３の合計９の小ページに分割されたことを意味する。また、この四角形の（ｘ（行）、ｙ（列））が（１、２）で表されるブロックを例えばカラー表示して、表示部１５に現在表示されている小ページの閲覧ページに対する配置を示す。表示部１５内におけるマーク４０の配置は特に限定されないが、表示部１５に小ページを表示する妨げにならないように、例えば表示部１５の端部に表示する。表示方法は、表示部１５に常時表示してもよいし、操作部１４の入力に基づいて適宜表示してもよい。また、ポップアップ等を用いて表示してもよい。
【００７９】
本発明は、様々なウェブサイトやメールなどを閲覧できる携帯電話に好適に適用される。ウェブサイトやメールは、携帯電話に搭載される表示部１５のサイズ（例えばｙ方向のサイズ）よりも大きいページの情報データを有する場合が多いためである。また、本発明は、パソコン用に作られたウェブサイトをそのまま閲覧できる携帯電話向けのウェブブラウザが搭載された携帯電話に好適に適用される。パソコン用に作られたウェブサイトは、携帯電話に搭載される表示部１５のサイズ（例えばｘ方向およびｙ方向のサイズ）よりも大きいページの情報データを有する場合が多いためである。
【００８０】
図９は、端末装置１０、特に携帯電話の斜視図を示す。携帯電話は、表示部１５を有する上筐体２３と操作部１４を有する下筐体２１が、ヒンジ部２９を介して開閉可能に接続されている。この例においては、小ページの指定は、数字キーの長押しではなく、小ページ指定モードキー（小ページ指定モード入力部）２７と数字キー（数字入力部）２５の組み合わせにより行なわれる。本例では、小ページ指定モードキー（ジャンプモードキー）２７は「＃」キーであるが、もちろん、「＊」キー等、他のキーを小ページ指定モードキーに割り当ててもよい。小ページ指定モードキー２７の操作により、数字キーの操作が通常のモードから、閲覧小ページの指定モード（ジャンプモード）に移行する。
【００８１】
上記の説明で、表示部１５のサイズ、または、表示部１５に表示可能なサイズとは、図９に示す四角形状の表示部１５全体のサイズであってもよいし、表示部１５の一部分（例えば表示部１５のうちの中央部分のみ）であってもよい。
【００８２】
この例においては、例えば、ユーザが小ページ“２”を閲覧したい場合、閲覧ページ取得後、「＊」キーを押した後、数字キー“２”を押す。すると図３のステップＳ１０５（図５のステップＳ２０６）で、制御部１１は「＊」キーと、数字キー“２”の入力検知に応じて、小ページ“２”を表示部１５に表示する。尚、「＊」キーの入力後、表示部１５に「閲覧したい小ページの番号を押してください。」の旨のメッセージを表示させてもよい。また、「長押しモード」と「ジャンプモード」のいずれかを予め選択可能にする機能を端末装置１０に付与することもできる。
【００８３】
また、上述の実施形態において、一般的に、表示部１５は液晶でディスプレイ等により構成され、他の部分と一緒に一体の筐体に組み込まれる。しかしながら、この構成は必須ではなく、表示部１５を他の部分とは別体に構成することもできる。
【００８４】
また、本発明の表示処理方法の手順をコンピュータに実行させるプログラムも本発明に含まれる。当該プログラムは、種々の記録媒体やメモリの形式にて端末装置の内部又は外部に保存される。
【００８５】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【００８６】
本出願は、２００５年３月２９日出願の日本特許出願（特願２００５−０９５４２５）に基づくものであり、その内容はここに参照として取り込まれる。
【産業上の利用可能性】
【００８７】
本発明によれば、情報データを閲覧する際し、閲覧希望するページの箇所を表示させるまでに無駄な時間と操作をユーザに強いさせないように操作の効率化を図り、ユーザに与える操作ストレスを解消させる表示処理装置及び表示処理方法が提供される。
【図面の簡単な説明】
【００８８】
【図１】本発明の第１の実施形態に係る表示処理装置が備える端末装置の構成を示すブロック図
【図２】第１の実施形態において、閲覧ページを複数の小ページに分割する方法を説明する図
【図３】本発明の第１の実施形態に係る表示処理装置が備える端末装置の動作を示すフローチャート
【図４】本発明の第２の実施形態において、閲覧ページを複数の小ページに分割する方法を説明する図
【図５】本発明の第２の実施形態に係る表示処理装置、端末装置の動作を示すフローチャート
【図６】本発明の実施形態３において、閲覧ページを複数の小ページに分割する方法を説明する図
【図７】本発明の実施形態４において、閲覧ページを複数の小ページに分割する方法を説明する図
【図８】本発明の実施形態に用いる表示部１５の模式図
【図９】本発明の実施形態に係る端末装置の斜視図
【符号の説明】
【００８９】
１０  端末装置
１１  制御部
１２  制御プログラム記憶部
１３  メモリ
１４  操作部
１５  表示部
２１  下筐体
２３  上筐体
２５  数字キー
２７  ＃キー
２９  ヒンジ部
【手続補正３】
【補正対象書類名】図面
【補正対象項目名】全図
【補正方法】変更
【補正の内容】
【図１】
2006103830.tif 000011
【図２】
2006103830.tif 000012
【図３】
2006103830.tif 000013
【図４】
2006103830.tif 000014
【図５】
2006103830.tif 000015
【図６】
2006103830.tif 000016
【図７】
2006103830.tif 000017
【図８】
2006103830.tif 000018
【図９】
2006103830.tif 000019
【国際調査報告】
2006103830.tif 000020
2006103830.tif 000021
2006103830.tif 000022
2006103830.tif 000023